(57)【要約】  電子機器の符号化装置Ｄ１は、フィールド反復フラグを伴う複製フィールドを含むインターレースフィールド群を有する１つ以上のインターレース・ベースレイヤＢＬと、プログレッシブフレーム群を有する１つ以上のプログレッシブ・エンハンスメントレイヤＥＬとから、映画データを圧縮スケーラブル・ビットストリームＳＶＢへと符号化する符号化手段ＣＭを含む。符号化手段は、ｉ）インターレース・ベースレイヤＢＬの複製フィールドを含むフィールド対群以外のフィールド対群から定められた予測フレーム群を有する予測レイヤＰＬを構築し、ｉｉ）欠如した各予測フレームに対処するようインターレース・ベースレイヤＢＬの複製フィールドに付随するフィールド反復フラグを考慮しながら、各予測フレームと対応するプログレッシブフレームとの間の差を計算することにより、プログレッシブ・エンハンスメントレイヤＥＬのプログレッシブフレーム群を符号化する。
2009530946.tif 000002
【特許請求の範囲】
【請求項１】
映画データを、フィールド反復フラグを伴う複製フィールドを含むインターレースフィールド群を有する、少なくとも１つのインターレース・ベースレイヤと、プログレッシブフレーム群を有する少なくとも１つのプログレッシブ・エンハンスメントレイヤとから、圧縮されたスケーラブル・ビットストリームへと符号化する符号化手段を有する符号化装置であって、
前記符号化手段は、ｉ）前記インターレース・ベースレイヤの、複製フィールドを含むフィールド対群以外のフィールド対群から定められた予測フレーム群を有する予測レイヤを構築し、且つｉｉ）欠如した各予測フレームに対処するように前記インターレース・ベースレイヤの対応する複製フィールド群に付随するフィールド反復フラグ群を考慮に入れながら、各予測フレームと対応するプログレッシブフレームとの間の差を計算することによって、各プログレッシブ・エンハンスメントレイヤのプログレッシブフレーム群を符号化するように構成されている、
ことを特徴とする符号化装置。
【請求項２】
前記符号化手段は、ｉ）前記インターレース・ベースレイヤのフィールド反復フラグを伴わないフィールド対群から定められた予測フレーム群のみを有する予測レイヤを構築し、且つｉｉ）予測フレームに対応する各プログレッシブフレームのみを、該プログレッシブフレームと対応する予測フレームとの間の差を計算することによって符号化するように構成されている、ことを特徴とする請求項１に記載の符号化装置。
【請求項３】
前記符号化手段は、ｉ）前記インターレース・ベースレイヤのフィールド反復フラグを伴わないフィールド対群から定められた予測フレーム群と、各複製予測フレームが、前記インターレース・ベースレイヤのフィールド反復フラグを伴うフィールドに対応するときに、先行する予測フレームと同一にされた複製予測フレーム群と、を有する予測レイヤを構築し、且つｉｉ）前記プログレッシブフレーム群を、各プログレッシブフレームと、対応する予測フレーム又は複製予測フレームとの間の差を計算することによって符号化するように構成されている、ことを特徴とする請求項１に記載の符号化装置。
【請求項４】
前記符号化手段は、ｉ）前記インターレース・ベースレイヤのフィールド反復フラグを伴わないフィールド対群から定められた予測フレーム群を構築し、且つ、前記インターレース・ベースレイヤのフィールド反復フラグを伴うフィールドに対応する欠如した各予測フレームを、該欠如した予測フレームに対応するプログレッシブフレームに先行するプログレッシブフレームの複製で充足するように、ｉｉ）予測フレームに対応する各プログレッシブフレームを、該プログレッシブフレームと、対応する予測フレーム又はプログレッシブフレームの複製との間の差を計算することによって符号化するように構成されている、ことを特徴とする請求項１に記載の符号化装置。
【請求項５】
前記予測レイヤを構築することに先立って、符号化すべき前記プログレッシブフレーム群の空間解像度に等しい空間解像度を得るために、前記インターレース・ベースレイヤのフィールド群をオーバーサンプリングするように構成されたオーバーサンプリング手段を有することを特徴とする請求項１乃至４の何れかに記載の符号化装置。
【請求項６】
第１のフレームレートを有する当初の映画データに時間的調整技術を適用して、選択された表示装置上での表示に適応された第２のフレームレートを有する前記インターレース・ベースレイヤ及び前記プログレッシブ・エンハンスメントレイヤを出力するように構成された調整手段を有することを特徴とする請求項１乃至５の何れかに記載の符号化装置。
【請求項７】
前記調整手段は、所謂３：２プルダウン方式の時間的調整技術を適用するように構成されている、ことを特徴とする請求項６に記載の符号化装置。
【請求項８】
フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する復号化手段を有する復号化装置であって、
前記復号化手段は、ｉ）前記符号化インターレース・ベースレイヤのフィールド対群から定められた予測フレーム群を有する予測レイヤを構築し、且つｉｉ）前記符号化インターレース・ベースレイヤの対応する複製フィールド群に付随するフィールド反復フラグ群を考慮に入れながら、各予測フレームと各符号化プログレッシブ・エンハンスメントレイヤの対応する符号化されたプログレッシブフレームとの和を計算することによって、プログレッシブ・エンハンスメントレイヤのプログレッシブフレーム群を再構築するように構成されている、
ことを特徴とする復号化装置。
【請求項９】
前記復号化手段は、ｉ）前記符号化インターレース・ベースレイヤのフィールド反復フラグを伴わないフィールド対群から定められた予測フレーム群のみを有する予測レイヤを構築し、且つｉｉ）各プログレッシブ・エンハンスメントレイヤの各プログレッシブフレームを、各予測フレームと対応する符号化されたプログレッシブフレームとの和を計算することによって再構築し、前記符号化インターレース・ベースレイヤのフィールド反復フラグを伴うフィールドに対応する欠如した各プログレッシブフレームを、再構築された先行するプログレッシブフレームの複製で充足するように構成されている、ことを特徴とする請求項８に記載の復号化装置。
【請求項１０】
前記復号化手段は、ｉ）前記符号化インターレース・ベースレイヤのフィールド反復フラグを伴わないフィールド対群から定められた予測フレーム群と、各複製予測フレームが、前記符号化インターレース・ベースレイヤのフィールド反復フラグを伴うフィールドに対応するときに、先行する予測フレームと同一にされた複製予測フレーム群と、を有する予測レイヤを構築し、且つｉｉ）各プログレッシブ・エンハンスメントレイヤの各プログレッシブフレームを、各予測フレーム又は各複製予測フレームと対応する符号化されたプログレッシブフレームとの和を計算することによって再構築するように構成されている、ことを特徴とする請求項８に記載の復号化装置。
【請求項１１】
前記復号化手段は、ｉ）前記符号化インターレース・ベースレイヤのフィールド反復フラグを伴わないフィールド対群から定められた予測フレーム群のみを有する予測レイヤを構築し、且つｉｉ）各プログレッシブ・エンハンスメントレイヤの予測フレームに対応する各プログレッシブフレームを、該予測フレームと対応する符号化されたプログレッシブフレームとの和を計算することによって再構築し、各プログレッシブ・エンハンスメントレイヤの欠如した予測フレームに対応する各プログレッシブフレームを、対応する符号化されたプログレッシブフレームと、この再構築すべきプログレッシブフレームに先行する再構築されたプログレッシブフレームの複製との和を計算することによって再構築するように構成されている、ことを特徴とする請求項８に記載の復号化装置。
【請求項１２】
請求項１乃至７の何れか一項に記載の符号化装置及び／又は請求項８乃至１１の何れか一項に記載の復号化装置を有することを特徴とする電子機器。
【請求項１３】
ホームサーバ、家庭内ネットワーキング用のセットトップボックス、放送用符号化器、ストリーミング用符号化器、及びディスプレーセットを含むグループから選択されたことを特徴とする請求項１２に記載の電子機器。
【請求項１４】
映画データを、フィールド反復フラグを伴う複製フィールドを含むインターレースフィールド群を有する、少なくとも１つのインターレース・ベースレイヤと、プログレッシブフレーム群を有する少なくとも１つのプログレッシブ・エンハンスメントレイヤとから、圧縮されたスケーラブル・ビットストリームへと符号化する方法であって、
ｉ）前記インターレース・ベースレイヤのフィールド対群から定められた予測フレーム群を有する予測レイヤを構築する段階、及びｉｉ）前記インターレース・ベースレイヤの対応する複製フィールド群に付随するフィールド反復フラグ群を考慮に入れながら、各予測フレームと対応するプログレッシブフレームとの間の差を計算することによって、各プログレッシブ・エンハンスメントレイヤのプログレッシブフレーム群を符号化する段階、
を有することを特徴とする方法。
【請求項１５】
フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する方法であって、
ｉ）前記符号化インターレース・ベースレイヤのフィールド対群から定められた予測フレーム群を有する予測レイヤを構築する段階、及びｉｉ）前記符号化インターレース・ベースレイヤの対応する複製フィールド群に付随するフィールド反復フラグ群を考慮に入れながら、各予測フレームと各符号化プログレッシブ・エンハンスメントレイヤの対応する符号化されたプログレッシブフレームとの和を計算することによって、プログレッシブ・エンハンスメントレイヤのプログレッシブフレーム群を再構築する段階、
を有することを特徴とする方法。
【発明の詳細な説明】
【技術分野】
【０００１】
本発明はビデオ圧縮／解凍の分野に関し、より正確には、スケーラブル・ビデオビットストリームに関係するビデオ応用に関する。より具体的には、本発明は、映画データを、フィールド反復フラグを伴う複製フィールドを含むインターレース方式のフィールド群を有する少なくとも１つのインターレース・ベースレイヤと、プログレッシブ方式のフレーム群を有する少なくとも１つのプログレッシブ・エンハンスメントレイヤとから、圧縮されたスケーラブル・ビットストリームへと符号化する符号化手段を有する符号化装置に関する。
【背景技術】
【０００２】
スケーラブル・ビデオビットストリームを出力するように適応されたスケーラブルなビデオ圧縮技術の例が、ＭＰＥＧ−２規格のスケーラブル・エクステンション（例えば、非特許文献１参照）、ＭＰＥＧ−４規格のスケーラブル・エクステンション（例えば、非特許文献２参照）、及びＨ．２６４／ＡＶＣ（ＪＳＶＣとしても知られる）規格のスケーラブル・エクステンション（例えば、非特許文献３及び４参照）に記載されている。
【０００３】
スケーラブルなビデオ符号化は、例えば家庭内ネットワーク、ｘＤＳＬ放送、及びモバイル・ストリーミング等の数多くの用途で使用されている。これらの用途の一部は、非特許文献５に記載されている。
【０００４】
これらの用途の一部は、例えば標準精細度（インターレース方式）テレビセット又は高精細度（プログレッシブ方式）テレビセット等の様々な装置に、映画（毎秒２４フレームのプログレッシブ走査）をストリーミングあるいは放送することに関する。このような用途において、符号化すべき映画データは、少なくとも１つのベースレイヤと少なくとも１つのエンハンスメントレイヤとを含む。ベースレイヤ（群）（すなわち、下側空間レイヤ群の少なくとも１つ）はインターレース方式のフィールド群で好ましく符号化され、エンハンスメントレイヤ（群）はプログレッシブ信号を読み出すことを可能にする。このとき、フレームレートは常に、標的とするディスプレーのフレームレートに一致しなければならない。本発明はこのような種類のスケーラブル・ビデオビットストリームに関する。
【０００５】
これらの映画（すなわちフィルム）はまた、フレームレートの相違により、ビデオとは時間的に異なる。ビデオレートは、例えば、ＮＴＳＣで毎秒３０フレーム、ＰＡＬ／ＳＥＣＡＭで毎秒２５フレーム、高精細度（ＨＤ）の場合には毎秒２５、３０又は６０フレームである等、規格によって異なる。この時間的な相違のため、映画（すなわちフィルム）は、符号化されて例えばテレビに送信される前に、時間的な調整を必要とする。この時間的な調整を適用するには、例えば、映画信号を毎秒３０フレームの、すなわち毎秒６０フィールドの、インターレース方式のビデオ信号に変換することを目的とする所謂“３：２プルダウン”技術を使用し得る。一部の時間的調整技術は、特にこの３：２プルダウン技術を用いる調整技術は、データフィールドの複製を導入する。既存のビデオ圧縮規格において、ベースレイヤの複製されたデータフィールド群を効率的に符号化するため、所謂“フィールド反復フラグ”が用いられている。
【０００６】
このシーケンスを、既存技術（例えば、上述の圧縮規格など）により、プログレッシブ・エンハンスメントレイヤを用いてスケーラブルに符号化することを望む場合、少なくとも３つの解法が存在する。
【０００７】
第１の解法は、エンハンスメントレイヤ及びベースレイヤを、それらが全てプログレッシブであるかのようにして符号化することから成る。しかしながら、このような解法を用いると、ベースレイヤは満足なように符号化されない。
【０００８】
第２の解法は、エンハンスメントレイヤ及びベースレイヤを、それらが全てインターレースであるかのようにして符号化することから成る。しかしながら、このような解法を用いると、“フィールドピクチャ符号化”がエンハンスメントレイヤ（群）の圧縮効率に不利益をもたらす。
【０００９】
図１に示す第３の解法は、インターレース符号化ツールを用いてベースレイヤ（ＢＬ）を符号化し、その後、この符号化されたベースレイヤ（ＢＬ）の連続するインターレースフィールド（ＦＴｉ、ＢＴｉ）を対にして、エンハンスメント（上側）レイヤ（群）（ＥＬ）を予測するために用いられる予測フレーム群（ＰＦｒ）へとグループ化することから成る。しかしながら、この解法は、元の素材内の相異なるフレームに属する２つのフィールド（ＦＴｉ、ＢＴｉ）の組み合わせから成る予測に関して非常に悪い（不一致の）予測フレーム群（ＭＰＦｒ）を生成してしまう。
【００１０】
複製されたフィールド群又はフレーム群を含むスケーラブル・ビデオビットストリームを符号化することは、故に、上述の圧縮技術（例えば、ＭＰＥＧ−２、ＭＰＥＧ−４及びＨ．２６４／ＡＶＣ等）を用いて可能であるが、それは圧縮性能及び映像品質の点で効果的なものではない。
【非特許文献１】「Information  technology  ―  Generic  coding  of  moving  pictures  and  associated  audio  information」、ISO/IEC  13818-2、1996年
【非特許文献２】「Information  technology  ―  Coding  of  Audio-Visual  Objects  ―  Part2：  Visual」、ISO/IEC  14496-2:2001、第2版、2001年
【非特許文献３】「Final  Draft  International  Standard  of  Joint  Video  Spacification」、ISO/IEC  14496-10、2004年
【非特許文献４】「JSVC  Working  Draft  2」、JVT-O201、第16回JVT会議、釜山、2005年4月
【非特許文献５】「Requirement  and  Applications  for  Scalable  Video  Coding」、N6880、第71回MPEG会議、香港、2005年1月
【発明の開示】
【発明が解決しようとする課題】
【００１１】
本発明は、上述の状況を改善する符号化／復号化装置及び方法を提供することを目的とする。
【課題を解決するための手段】
【００１２】
上記課題に鑑み、本発明は、本明細書の導入部で規定されるような符号化装置であって、更に、符号化手段が、ｉ）インターレース・ベースレイヤの、複製フィールドを含むフィールド対群以外のフィールド対群から定められた予測フレーム群を有する予測レイヤを構築し、且つｉｉ）欠如した各予測フレームに対処するようにインターレース・ベースレイヤの対応する複製フィールド群に付随するフィールド反復フラグ群を考慮に入れながら、各予測フレームと対応するプログレッシブフレームとの間の差を計算することによって、プログレッシブ・エンハンスメントレイヤのプログレッシブフレーム群を符号化するように構成されている、ことを特徴とする符号化装置に関する。
【００１３】
換言すると、インターレース・ベース（すなわち、下側）レイヤに関連する１つ以上のプログレッシブ・エンハンスメント（すなわち、上側）レイヤのプログレッシブフレーム群を符号化するために、このインターレース・ベースレイヤの複製フィールド群に付随するフィールド反復フラグを使用する。これにより、より効率的な符号化と、復号化の際のプログレッシブ・ビデオシーケンスの一層良好な再構築とが可能になる。
【００１４】
本発明に従った符号化装置は、とりわけ以下のような、別個に考慮される、あるいは組み合わせて考慮される更なる特徴を含み得る：
（ａ）符号化手段は、ｉ）インターレース・ベースレイヤのフィールド反復フラグを伴わないフィールド対群から定められた予測フレーム群のみを有する予測レイヤを構築し、且つｉｉ）予測フレームに対応する各プログレッシブフレームのみを、該プログレッシブフレームと対応する予測フレームとの間の差を計算することによって符号化するように構成されていてもよい；
（ｂ）符号化手段は、ｉ）インターレース・ベースレイヤのフィールド反復フラグを伴わないフィールド対群から定められた予測フレーム群と、各複製予測フレームが、インターレース・ベースレイヤのフィールド反復フラグを伴うフィールドに対応するときに、先行する予測フレームと同一にされた複製予測フレーム群と、を有する予測レイヤを構築し、且つｉｉ）プログレッシブフレーム群を、各プログレッシブフレームと、対応する予測フレーム又は複製予測フレームとの間の差を計算することによって符号化するように構成されていてもよい；
（ｃ）符号化手段は、ｉ）インターレース・ベースレイヤのフィールド反復フラグを伴わないフィールド対群から定められた予測フレーム群を構築し、且つ、インターレース・ベースレイヤのフィールド反復フラグを伴うフィールドに対応する欠如した各予測フレームを、該欠如した予測フレームに対応するプログレッシブフレームに先行するプログレッシブフレームの複製で充足するように、ｉｉ）予測フレームに対応する各プログレッシブフレームを、該プログレッシブフレームと、対応する予測フレーム又はプログレッシブフレームの複製との間の差を計算することによって符号化するように構成されていてもよい；
（ｄ）当該符号化装置は、符号化すべきプログレッシブフレーム群の空間解像度に等しい空間解像度を得るために、予測フレームに空間的なオーバーサンプリングを適用するように構成された空間的オーバーサンプリング手段を有していてもよい；
（ｅ）当該符号化装置は、第１のフレームレートを有する当初の映画データに時間的調整技術を適用して、選択された表示装置上での表示に適応された第２のフレームレートを有するインターレース・ベースレイヤ及びプログレッシブ・エンハンスメントレイヤを出力するように構成された調整手段を有していてもよい（例えば、調整手段は、所謂“３：２プルダウン”方式の時間的調整技術を適用するように構成され得る）。
【００１５】
本発明はまた、フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する復号化手段を有する復号化装置を提供する。
【００１６】
この復号化装置は、復号化手段が、ｉ）符号化インターレース・ベースレイヤのフィールド対群から定められた予測フレーム群を有する予測レイヤを構築し、且つｉｉ）符号化インターレース・ベースレイヤの対応する複製フィールド群に付随するフィールド反復フラグ群を考慮に入れながら、各予測フレームと各符号化プログレッシブ・エンハンスメントレイヤの対応する符号化されたプログレッシブフレームとの和を計算することによって、プログレッシブ・エンハンスメントレイヤのプログレッシブフレーム群を再構築するように構成されている、ことを特徴とする。
【００１７】
本発明に従った復号化装置は、とりわけ以下のような、別個に考慮される、あるいは組み合わせて考慮される更なる特徴を含み得る：
（ａ）復号化手段は、ｉ）符号化インターレース・ベースレイヤのフィールド反復フラグを伴わないフィールド対群から定められた予測フレーム群のみを有する予測レイヤを構築し、且つｉｉ）プログレッシブ・エンハンスメントレイヤの各プログレッシブフレームを、各予測フレームと対応する符号化されたプログレッシブフレームとの和を計算することによって再構築し、符号化インターレース・ベースレイヤのフィールド反復フラグを伴うフィールドに対応する欠如した各プログレッシブフレームを、再構築された先行するプログレッシブフレームの複製で充足するように構成されていてもよい；
（ｂ）復号化手段は、ｉ）符号化インターレース・ベースレイヤのフィールド反復フラグを伴わないフィールド対群から定められた予測フレーム群と、各複製予測フレームが、符号化インターレース・ベースレイヤのフィールド反復フラグを伴うフィールドに対応するときに、先行する予測フレームと同一にされた複製予測フレーム群と、を有する予測レイヤを構築し、且つｉｉ）プログレッシブ・エンハンスメントレイヤの各プログレッシブフレームを、各予測フレーム又は各複製予測フレームと対応する符号化されたプログレッシブフレームとの和を計算することによって再構築するように構成されていてもよい；
（ｃ）復号化手段は、ｉ）符号化インターレース・ベースレイヤのフィールド反復フラグを伴わないフィールド対群から定められた予測フレーム群のみを有する予測レイヤを構築し、且つｉｉ）プログレッシブ・エンハンスメントレイヤの予測フレームに対応する各プログレッシブフレームを、該予測フレームと対応する符号化されたプログレッシブフレームとの和を計算することによって再構築し、プログレッシブ・エンハンスメントレイヤの欠如した予測フレームに対応する各プログレッシブフレームを、対応する符号化されたプログレッシブフレームと、この再構築すべきプログレッシブフレームに先行する再構築されたプログレッシブフレームの複製との和を計算することによって再構築するように構成されていてもよい。
【００１８】
本発明はまた、上述の符号化装置及び／又は復号化装置を有する電子機器を提供する。この電子機器は、例えば、ホームサーバ、家庭内ネットワーキング用のセットトップボックス、放送用符号化器、ストリーミング用符号化器、又はディスプレーセットとし得る。
【００１９】
本発明はまた、フィールド反復フラグを伴う複製フィールドを含むインターレースフィールド群を有する、少なくとも１つのインターレース・ベースレイヤと、プログレッシブフレーム群を有する少なくとも１つのプログレッシブ・エンハンスメントレイヤとから始めて、映画データを圧縮されたスケーラブル・ビットストリームへと符号化する方法を提供する。
【００２０】
この符号化方法は、ｉ）インターレース・ベースレイヤのフィールド対群から定められた予測フレーム群を有する予測レイヤを構築する段階、及びｉｉ）インターレース・ベースレイヤの対応する複製された第１及び第２のフィールド群に付随するフィールド反復フラグ群を考慮に入れながら、各予測フレームと対応するプログレッシブフレームとの間の差を計算することによって、各プログレッシブ・エンハンスメントレイヤのプログレッシブフレーム群を符号化する段階から構成される。
【００２１】
本発明はまた、フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する方法を提供する。
【００２２】
この復号化方法は、ｉ）符号化インターレース・ベースレイヤのフィールド対群から定められた予測フレーム群を有する予測レイヤを構築する段階、及びｉｉ）符号化インターレース・ベースレイヤの対応する複製された第１及び第２のフィールド群に付随するフィールド反復フラグ群を考慮に入れながら、各予測フレームと各符号化プログレッシブ・エンハンスメントレイヤの対応する符号化されたプログレッシブフレームとの和を計算することによって、各プログレッシブ・エンハンスメントレイヤのプログレッシブフレーム群を再構築する段階を有する。
【００２３】
本発明の典型的な用途は、例えばインターレース方式の標準精細度ディスプレーセット（多くの場合、インターレース方式の陰極線管ディスプレー）又はプログレッシブ方式の高精細度ディスプレーセット等の様々な電子機器への、映画のテレビ放送である。
【００２４】
本発明のその他の特徴及び利点は、以下の詳細な説明及び添付の図面により明らかになる。
【発明を実施するための最良の形態】
【００２５】
先ず図２を参照するに、本発明に従った符号化装置Ｄ１の実施形態の一例が示されている。この符号化装置Ｄ１は、例えば、ホームサーバ、セットトップボックス（特に、家庭内ネットワーキングに向けられる場合）、放送用符号化器、又はストリーミング用符号化器などの電子機器の一部である。本発明は、特に、例えばインターレース方式の標準精細度ディスプレーセット又はプログレッシブ方式の高精細度ディスプレーセット等の様々な電子機器への、映画（すなわちフィルム）のテレビ放送に良好に適合される。
【００２６】
映画（すなわちフィルム）はビデオのフレームレートとは異なるフレームレートを有する。映画のフレームレートは一般的に毎秒２４フレーム（すなわち画像）に等しい。ビデオのフレームレートは規格によって異なる（ＮＴＳＣで毎秒３０フレーム、ＰＡＬ／ＳＥＣＡＭで毎秒２５フレーム、高精細度（ＨＤ）の場合には毎秒２５、３０又は６０フレーム）。
【００２７】
図２に概略的且つ機能的に示すように、本発明に従った符号化装置Ｄ１は、受信した映画データを圧縮されたスケーラブル・ビットストリームへと符号化する少なくとも１つの符号化モジュールＣＭを有する。
【００２８】
重要なことには、受信する映画データは、その（第１の）フレームレートを別の（第２の）フレームレートに変換するための時間的調整技術が既に適用された（前処理された）データ、又は、この時間的調整技術が適用されるべき“当初の”データＰＶＤの何れかである。受信する映画データが前処理されたデータである場合、符号化装置Ｄ１は符号化モジュールＣＭのみを有する。受信する映画データが当初のデータＰＶＤである場合、符号化装置Ｄ１は、図２に示すように、（フレームレート変換のための）調整モジュールＡＭと符号化モジュールＣＭとを有さなければならない。
【００２９】
当業者に既知の如何なる時間的調整技術も、テレビ等に送信する前に処理及び符号化を行う準備の整った、前処理された映画データを生成するよう、（調整モジュールＡＭによって）用いられ得る。例えば、フィルム信号を毎秒３０フレーム（すなわち６０フィールド）のインターレース方式のビデオ信号へと変換する所謂“３：２プルダウン”技術が用いられてもよい。ここでは、“前処理された映画データ”は、時間的調整技術が既に適用され、少なくとも１つのインターレース（映画データ）ベースレイヤＢＬと少なくとも１つのプログレッシブ（映画データ）エンハンスメントレイヤＥＬとに分配される映画データを意味する。
【００３０】
インターレース・ベースレイヤＢＬは、低い解像度又は標準解像度の画像を定めるインターレース方式のデータフィールド群を有し、プログレッシブ・エンハンスメントレイヤＥＬは、プログレッシブ走査での表示に際して関連する１つ以上のインターレース・ベースレイヤと結合されたときに一層高い解像度を実現するプログレッシブ方式のフレーム群を有する。より正確には、インターレース・ベースレイヤＢＬは、最初のフィールドから始まる通常は画像の奇数列（又は偶数列）を定めるデータを含むトップフィールドＴＦｉと、通常は画像の偶数列（又は奇数列）を定めるデータを含むボトムフィールドＢＦｉとを有する。トップフィールドＴＦｉは、図１に示すように、ボトムフィールドＢＦｉから時間的にシフトされている。ビデオの全画像のインターレースフィールドが１つの“インターレース・ビデオ”（ＩＶ）を定める。
【００３１】
また、プログレッシブ・エンハンスメントレイヤＥＬは、プログレッシブフレーム群にグループ分けされた画像データを有する。プログレッシブ・エンハンスメントレイヤのデータは一般的に“プログレッシブデータ”と呼ばれ、一般的に“プログレッシブビデオ”（ＰＶ）と呼ばれるものを定める。１つ以上のプログレッシブ・エンハンスメントレイヤが１つのインターレース・ベースレイヤに関連付けられてもよい。復号化されたプログレッシブ・エンハンスメントレイヤ（群）のプログレッシブデータは、表示される前に、標準精細度又は高精細度の画像を定めるために、関連する復号化されたインターレース・ベースレイヤのデータと結合されるよう意図される。
【００３２】
ここで、処理及び符号化を為されなければならない受信映画データのインターレース・ベースレイヤＢＬが、時間的調整技術によって導入された幾つかの複製フィールドＤＦを有すると仮定する。当業者に知られるように、複製されたフィールドＤＦの各々は、一般的に“フィールド反復フラグ”と呼ばれるフラグに関連付けられて、符号化されたビットストリームＳＶＢ内に送られる。
【００３３】
符号化モジュールＣＭは、受信した前処理されたインターレース・ベースレイヤＢＬの第１のフィールド群ＴＦｉ及び第２のフィールド群ＢＦｉに、それらが予測レイヤＰＬを構成するように使用される前に、空間的なオーバーサンプリングを適用するよう意図された空間的オーバーサンプリングモジュールを有していてもよい。これは、符号化すべきプログレッシブフレーム群に等しい空間解像度を有するインターレース・ベースレイヤＢＬを得ることを可能にする。
【００３４】
符号化モジュールＣＭは、受信したインターレース・ベースレイヤＢＬのトップフィールド群ＴＦｉ及びボトムフィールド群ＢＦｉから予測レイヤＰＬを構築するように構成された処理モジュールＰＭを有する。より正確には、処理モジュールＰＭは、各予測フレームＰＦｒがベースレイヤＢＬのトップフィールドＴＦｉと、時間的にこのトップフィールドＴＦｉの直後に位置する（このベースレイヤＢＬの）ボトムフィールドＢＦｉとから成る、予測フレーム群ＰＦｒを有する予測レイヤＰＬを構築する。例えば、ベースレイヤＢＬが一連のトップフィールド群ＴＦｉ（Ａ１’、Ｂ１’、Ｂ１’、Ｃ１’、Ｄ１’、・・・）及び一連のボトムフィールド群ＢＦｉ（Ａ２’、Ｂ２’、Ｃ２’、Ｃ２’、Ｄ２’、・・・）を有する場合、予測レイヤＰＬは、図１に示す一連の予測フレーム群（Ａ１’＋Ａ２’、Ｂ１’＋Ｂ２’、Ｂ１’＋Ｃ２’、Ｃ１’＋Ｃ２’、Ｄ１’＋Ｄ２’、・・・）を有することになる。
【００３５】
予測レイヤＰＬは、各プログレッシブ・エンハンスメントレイヤＥＬのプログレッシブフレーム群を符号化するために、符号化モジュールＣＭの符号化用部分モジュールＥＭによって使用される。より正確には、符号化用部分モジュールＥＭは、予測レイヤＰＬの各予測フレームとプログレッシブ・エンハンスメントレイヤＥＬの対応するプログレッシブフレームとの間の差を計算し、符号化されたプログレッシブフレーム群を有する符号化プログレッシブ・エンハンスメントレイヤＥＬ’を出力するように構成される。
【００３６】
例えば、図３に示すように、予測フレームがＡ１’＋Ａ２’に等しく、且つ対応するプログレッシブフレームがＡに等しい場合、符号化用部分モジュールＥＭによって計算される対応する符号化されたプログレッシブフレームは、δＡ’＝Ａ−（Ａ１’＋Ａ２’）として、δＡ’に等しい。
【００３７】
この種の計算は、予測レイヤＰＬが同一画像に属するトップフィールド及びボトムフィールドから構成された予測フレーム群を有するときに正しく機能する。しかしながら、予測レイヤＰＬが（図１に示すように）２つの連続する画像に属するトップフィールド及びボトムフィールドから構成された“複合的な”予測フレーム群（又は、不一致の予測フレーム群）ＭＰＦｒを有するときには正しく機能しない。このような状況は、インターレース・ベースレイヤＢＬが複製フィールド群ＤＦｉを有するときに発生する。この場合、“複合的な”予測フレームＭＰＦｒと符号化すべき対応するプログレッシブフレームとの間には不一致が存在する。図１の予測レイヤＰＬの第３の予測フレーム（Ｂ１’＋Ｃ２’）は、このような複合的な予測フレームの一例である。
【００３８】
本発明に従った符号化装置Ｄ１は、インターレース・ベースレイヤＢＬに含まれる複製フィールド群ＤＦｉにより導入される欠点を解消することを目的とする。この目的のため、その処理モジュールＰＭは、前処理された映画データ（ＢＬ＋ＥＬ）を受信したとき、インターレース・ベースレイヤＢＬの第１のフィールド群ＴＦｉ及び第２のフィールド群ＢＦｉから定められる予測フレーム群を有する予測レイヤＰＬを構築するように構成され、その符号化用部分モジュールＥＭは、各予測フレームと対応するプログレッシブフレームとの間の差を、インターレース・ベースレイヤＢＬの対応する第１のフィールドＴＦｉ及び第２のフィールドＢＦｉの複製フィールドに関連付けられたフィールド反復フラグＦｉＲＦを考慮に入れながら計算することによって、各エンハンスメントレイヤＥＬのプログレッシブフレーム群を符号化するように構成される。
【００３９】
フィールド反復フラグＦｉＲＦは、符号化装置Ｄ１によって、少なくとも３つの相異なる手法で用いられ得る。
【００４０】
先ず図３を参照して、本発明に従って符号化の際にフィールド反復フラグＦｉＲＦを使用する第１の手法を説明する。この第１の手法においては、処理モジュールＰＭは、少なくとも１つのエンハンスメントレイヤＥＬを伴う少なくとも１つのインターレース・ベースレイヤＢＬを有する前処理された映画データを受信する度に、フィールド反復フラグＦｉＲＦを伴わないインターレース・ベースレイヤＢＬのトップフィールドＴＦｉ及びボトムフィールドＢＦｉから定められた予測フレームのみを有する予測レイヤＰＬを構築するように構成される。従って、処理モジュールＰＭは複合的な予測フレームを保有せず、一部の予測フレームは予測レイヤＰＬ内で欠如する（ＭＰＦ）。
【００４１】
この場合、符号化用部分モジュールＥＭは、予測フレームに対応するプログレッシブ・エンハンスメントレイヤＥＬのプログレッシブフレームのみを符号化するように構成される。従って、存在する予測フレームに対応する各プログレッシブフレームとそれが対応する予測フレームとの間の差が計算される。
【００４２】
図３に示した例においては、第３の予測フレームＭＰＦが欠けているため、符号化用部分モジュールＥＭはエンハンスメントレイヤＥＬの第３のプログレッシブフレームを符号化しない。故に、符号化プログレッシブフレーム・エンハンスメントレイヤＥＬ’は、それぞれの差（Ａ−（Ａ１’＋Ａ２’））、（Ｂ−（Ｂ１’＋Ｂ２’））、（Ｃ−（Ｃ１’＋Ｃ２’））及び（Ｄ−（Ｄ１’＋Ｄ２’））から得られた符号化されたプログレッシブフレーム群δＡ’、δＢ’、δＣ’及びδＤ’を有する。
【００４３】
重要なことには、予測レイヤＰＬが一旦構築された後は、（図３に関して）第１の手法に従って符号化用部分モジュールＥＭによって実行される符号化技術は、従来技術に係る符号化装置によって実行される技術と同一である。この符号化技術は当業者に周知であり、ここでは説明しない。
【００４４】
符号化用部分モジュールＥＭは、符号化されたインターレース・ベースレイヤＢＬ’と符号化されたプログレッシブ・エンハンスメントレイヤ（群）ＥＬ’とを有する圧縮されたスケーラブル・ビットストリームＳＶＢを出力し、表示装置に例えばネットワークを介して送信する準備が完了する。
【００４５】
次に図４を参照して、本発明に従って符号化の際にフィールド反復フラグＦｉＲＦを使用する第２の手法を説明する。この第２の手法においては、処理モジュールＰＭは、少なくとも１つのエンハンスメントレイヤＥＬを伴う少なくとも１つのインターレース・ベースレイヤＢＬを有する前処理された映画データを受信する度に、フィールド反復フラグＦｉＲＦを伴わないインターレース・ベースレイヤＢＬのトップフィールドＴＦｉ及びボトムフィールドＢＦｉから各々が定められた予測フレーム群と、それぞれが、フィールド反復フラグ（ＦｉＲＦ）を伴うインターレース・ベースレイヤＢＬの第１のフィールドＴＦｉ及び／又は第２のフィールドＢＦｉに対応するときに、それぞれに先行する予測フレームに等しくされた複製予測フレーム群ＤＰＦｒと、を有する予測レイヤＰＬを構築するように構成される。従って、予測レイヤＰＬ内には複合的な予測フレームも欠如した予測フレームＭＰＦも存在しない。
【００４６】
図４の非限定的な例においては、予測レイヤＰＬは一連の予測フレーム群（Ａ１’＋Ａ２’、Ｂ１’＋Ｂ２’、Ｂ１’＋Ｂ２’、Ｃ１’＋Ｃ２’、Ｄ１’＋Ｄ２’、・・・）を有する。第３の予測フレーム（Ｂ１’＋Ｂ２’）は、フィールド反復フラグＦｉＲＦを伴う複製フィールド（Ｂ１’）ＤＦｉに対応するので、第２の予測フレーム（Ｂ１’＋Ｂ２’）の複製ＤＰＦｒにされている。
【００４７】
この場合、符号化用部分モジュールＥＭは、全てのプログレッシブフレームが対応する予測フレーム又は複製予測フレームＤＰＦｒに関連付けられるので、プログレッシブ・エンハンスメントレイヤＥＬの各プログレッシブフレームを符号化するように構成される。従って、各プログレッシブフレームと、対応する予測フレーム又は複製予測フレームＤＰＦｒとの間の差が計算される。
【００４８】
図４に示した例においては、符号化用部分モジュールＥＭは、それぞれの差（Ａ−（Ａ１’＋Ａ２’））、（Ｂａ−（Ｂ１’＋Ｂ２’））、（Ｂｂ−（Ｂ１’＋Ｂ２’））、（Ｃ−（Ｃ１’＋Ｃ２’））及び（Ｄ−（Ｄ１’＋Ｄ２’））から得られた符号化されたプログレッシブフレーム群δＡ’、δＢａ’、δＢｂ’、δＣ’及びδＤ’を有する、符号化プログレッシブフレーム・エンハンスメントレイヤＥＬ’を生成する。
【００４９】
重要なことには、予測レイヤＰＬが一旦構築された後は、（図４に関して）第２の手法に従って符号化用部分モジュールＥＭによって実行される符号化技術は、従来技術に係る符号化装置によって実行される技術と同一である。この符号化技術は当業者に周知であり、ここでは説明しない。
【００５０】
符号化用部分モジュールＥＭは、符号化されたインターレース・ベースレイヤＢＬ’と符号化されたプログレッシブ・エンハンスメントレイヤ（群）ＥＬ’とを有する圧縮されたスケーラブル・ビットストリームＳＶＢを出力し、表示装置に例えばネットワークを介して送信する準備が完了する。
【００５１】
次に図５を参照して、本発明に従って符号化の際にフィールド反復フラグＦｉＲＦを使用する第３の手法を説明する。第１の手法の一種の変形であるこの第３の手法においては、処理モジュールＰＭは、少なくとも１つのエンハンスメントレイヤＥＬを伴う少なくとも１つのインターレース・ベースレイヤＢＬを有する前処理された映画データを受信する度に、２つのソースの予測フレーム群を有する予測レイヤＰＬを構築するように構成される。
【００５２】
第１のソースはインターレース・ベースレイヤＢＬである。処理モジュールＰＭは、フィールド反復フラグＦｉＲＦを伴わないインターレース・ベースレイヤＢＬのトップフィールドＴＦｉ及びボトムフィールドＢＦｉから各々が定められた（第１の）予測フレーム群を構築する。従って、処理モジュールＰＭは複合的な予測フレームを保有せず、一部の予測フレームは予測レイヤＰＬ内で欠如する（ＭＰＦ）。
【００５３】
第２のソースはプログレッシブ・エンハンスメントレイヤＥＬである。処理モジュールＰＭは、構築中の予測レイヤＰＬ内に、欠如した予測フレームＭＰＦを充足するように、（第２の）予測フレーム群を構築する。より正確には、処理モジュールＰＭは、エンハンスメントレイヤＥＬのプログレッシブフレームに対応する予測フレームの欠如ＭＰＦを検出する度に、この対応するプログレッシブフレームに先行するプログレッシブフレームを複製し、複製されたプログレッシブフレームＤＦｒで、対応する欠如した予測フレームＭＰＦを充足する。従って、最終的な予測レイヤＰＬ内には、欠如した予測フレームＭＰＦはもはや存在しない。
【００５４】
図５の非限定的な例においては、予測レイヤＰＬは一連の予測フレーム群（Ａ１’＋Ａ２’、Ｂ１’＋Ｂ２’、Ｂａ、Ｃ１’＋Ｃ２’、Ｄ１’＋Ｄ２’、・・・）を有する。第３の予測フレーム（Ｂａ）は、フィールド反復フラグＦｉＲＦを伴う複製フィールド（Ｂ１’）ＤＦｉに対応するので、エンハンスメントレイヤＥＬの第２のプログレッシブフレーム（Ｂａ）の複製ＤＦｒにされている。
【００５５】
この場合、符号化用部分モジュールＥＭは、全てのプログレッシブフレームが対応する予測フレーム又は複製プログレッシブフレームＤＦｒに関連付けられるので、プログレッシブ・エンハンスメントレイヤＥＬの各プログレッシブフレームを符号化するように構成される。従って、各プログレッシブフレームと、対応する予測フレーム又は複製プログレッシブフレームＤＦｒとの間の差が計算される。
【００５６】
図５に示した例においては、符号化用部分モジュールＥＭは、それぞれの差（Ａ−（Ａ１’＋Ａ２’））、（Ｂａ−（Ｂ１’＋Ｂ２’））、（Ｂｂ−Ｂａ）、（Ｃ−（Ｃ１’＋Ｃ２’））及び（Ｄ−（Ｄ１’＋Ｄ２’））から得られた符号化されたプログレッシブフレーム群δＡ’、δＢａ’、δＢｂ’、δＣ’及びδＤ’を有する、符号化プログレッシブフレーム・エンハンスメントレイヤＥＬ’を生成する。
【００５７】
重要なことには、予測レイヤＰＬが一旦構築された後は、（図５に関して）第３の手法に従って符号化用部分モジュールＥＭによって実行される符号化技術は、従来技術に係る符号化装置によって実行される技術と同一である。この符号化技術は当業者に周知であり、ここでは説明しない。
【００５８】
符号化用部分モジュールＥＭは、符号化されたインターレース・ベースレイヤＢＬ’と符号化されたプログレッシブ・エンハンスメントレイヤ（群）ＥＬ’とを有する圧縮されたスケーラブル・ビットストリームＳＶＢを出力し、表示装置に例えばネットワークを介して送信する準備が完了する。
【００５９】
続いて図６を参照して、本発明に従った復号化装置Ｄ２の実施形態の一例を説明する。この復号化装置Ｄ２は、例えば、ホームサーバ、セットトップボックス（特に、家庭内ネットワーキングに向けられる場合）、インターレース方式の標準精細度ディスプレーセット、又はプログレッシブ方式の高精細度ディスプレーセットなどの電子機器の一部である。
【００６０】
図６に概略的且つ機能的に示すように、本発明に従った復号化装置Ｄ２は、基本的に、符号化装置Ｄ１によって生成された圧縮されたスケーラブル・ビットストリームＳＶＢを復号化する復号化モジュールＤＭを有する。この復号化装置は、入力として、少なくとも１つの符号化インターレース・ベースレイヤＢＬ’と少なくとも１つの符号化プログレッシブ・エンハンスメントレイヤＥＬ’とを受信する。
【００６１】
復号化モジュールＤＭは、受信した符号化インターレース・ベースレイヤＢＬ’のトップフィールド群ＴＦｉ’及びボトムフィールド群ＢＦｉ’から定められた予測フレーム群を有する予測レイヤＰＬ’を構築するように構成された処理モジュールＰＭ’と、受信した符号化プログレッシブ・エンハンスメントレイヤＥＬ’各々の符号化プログレッシブフレーム群、受信した符号化インターレース・ベースレイヤＢＬ’のトップフィールド群ＴＦｉ’及びボトムフィールド群ＢＦｉ’、並びにインターレース・ベースレイヤＢＬ’の第１のフィールドＴＦｉ’及び第２のフィールドＢＦｉ’の複製フィールド群に関連付けられたフィールド反復フラグ群ＦｉＲＦから、各エンハンスメントレイヤＥＬ”のプログレッシブフレーム群を再構築する復号化用部分モジュールＳＤＭと、を有する。
【００６２】
より正確には、復号化用部分モジュールＳＤＭは、各予測フレームと、受信した符号化プログレッシブ・エンハンスメントレイヤＥＬ’各々の対応する符号化プログレッシブフレームとの間の差を、インターレース・ベースレイヤＢＬ’の対応する第１のフィールドＴＦｉ’及び第２のフィールドＢＦｉ’の複製フィールドに関連付けられたフィールド反復フラグＦｉＲＦを考慮に入れながら計算するように構成される。
【００６３】
フィールド反復フラグＦｉＲＦは、復号化装置Ｄ２によって、少なくとも３つの相異なる手法で用いられ得る。
【００６４】
先ず図７を参照して、本発明に従って復号化の際にフィールド反復フラグＦｉＲＦを使用する第１の手法を説明する。この第１の手法においては、処理モジュールＰＭ’は、少なくとも１つの符号化プログレッシブ・エンハンスメントレイヤＥＬ’を伴う少なくとも１つの符号化インターレース・ベースレイヤＢＬ’を受信する度に、フィールド反復フラグＦｉＲＦを伴わない符号化インターレース・ベースレイヤＢＬ’のトップフィールドＴＦｉ’及びボトムフィールドＢＦｉ’から定められた予測フレームのみを有する予測レイヤＰＬ’を構築するように構成される。従って、図７に示すように、処理モジュールＰＭ’は（先に定義した）複合的な予測フレームを保有せず、一部の予測フレームは予測レイヤＰＬ’内で欠如する（ＭＰＦ）。
【００６５】
この場合、受信した符号化プログレッシブ・エンハンスメントレイヤＥＬ’の各々は、符号化装置Ｄ１によって第１の手法に従って画成されているので、（図７に示すように）予測レイヤＰＬ’の欠如した予測フレーム群ＭＰＦに対応する欠如した符号化プログレッシブフレーム群ＭＥＦを有する。
【００６６】
従って、復号化用部分モジュールＳＤＭは、予測レイヤＰＬ’の各予測フレームと対応する（存在する）符号化プログレッシブフレームとの和を計算することによって、各エンハンスメントレイヤＥＬ”の各プログレッシブフレームを再構築し、フィールド反復フラグＦｉＲＦを伴うインターレース・ベースレイヤＢＬ’の第１のフィールドＴＦｉ及び／又は第２のフィールドＢＦｉに対応する欠如した再構築プログレッシブフレームを、先行する再構築プログレッシブフレームの複製で充足するように構成される。
【００６７】
図７に示した例においては、第３の予測フレームＭＰＦ及び対応する第３の符号化プログレッシブフレームＭＥＦが欠如している。従って、復号化用部分モジュールＳＤＭは、先ず、存在する符号化プログレッシブフレーム群に対応するプログレッシブフレームを再構築し、それにより、（Ａ’＝（Ａ１’＋Ａ２’）＋δＡ’）、（Ｂ’＝（Ｂ１’＋Ｂ２’）＋δＢ’）、（Ｃ’＝（Ｃ１’＋Ｃ２’）＋δＣ’）、（Ｄ’＝（Ｄ１’＋Ｄ２’）＋δＤ’）を与える。そして、復号化用部分モジュールＳＤＭは、第２の再構築プログレッシブフレームＢ’を複製して、第３の再構築プログレッシブフレームＢ’を生成する。故に、最終的な再構築プログレッシブ・エンハンスメントレイヤＥＬ”は、プログレッシブフレームのシーケンス（Ａ’、Ｂ’、Ｂ’、Ｃ’、Ｄ’）を有する。
【００６８】
重要なことには、（図７に関して）第１の手法に従って復号化用部分モジュールＳＤＭによって実行される復号化技術は、欠如したプログレッシブフレーム群の充足のための部分を除いて、従来技術に係る復号化装置によって実行される技術と同一である。この復号化技術は当業者に周知であり、ここでは説明しない。
【００６９】
復号化用部分モジュールＳＤＭは、復号化されたインターレース・ベースレイヤＢＬと復号化されたプログレッシブ・エンハンスメントレイヤ（群）ＥＬ”とを有する復号化スケーラブル・ビットストリームを出力し、表示すべき標準精細度又は高精細度の画像を構成するように結合し得る準備が完了する。
【００７０】
次に図８を参照して、本発明に従って復号化の際にフィールド反復フラグＦｉＲＦを使用する第２の手法を説明する。この第２の手法においては、処理モジュールＰＭ’は、少なくとも１つの符号化プログレッシブ・エンハンスメントレイヤＥＬ’を伴う少なくとも１つの符号化インターレース・ベースレイヤＢＬ’を受信する度に、フィールド反復フラグＦｉＲＦを伴わない符号化インターレース・ベースレイヤＢＬ’のトップフィールドＴＦｉ’及びボトムフィールドＢＦｉ’から各々が定められた予測フレーム群と、それぞれが、フィールド反復フラグＦｉＲＦを伴う符号化インターレース・ベースレイヤＢＬ’の第１のフィールドＴＦｉ’及び／又は第２のフィールドＢＦｉ’に対応するとき、それぞれに先行する予測フレームと同一にされた複製予測フレーム群ＤＰＦと、を有する予測レイヤＰＬ’を構築するように構成される。従って、予測レイヤＰＬ’内には複合的な予測フレームも欠如した予測フレームＭＰＦも存在しない。
【００７１】
図８の非限定的な例においては、予測レイヤＰＬ’は一連の予測フレーム群（Ａ１’＋Ａ２’、Ｂ１’＋Ｂ２’、Ｂ１’＋Ｂ２’、Ｃ１’＋Ｃ２’、Ｄ１’＋Ｄ２’、・・・）を有する。第３の予測フレーム（Ｂ１’＋Ｂ２’）は、フィールド反復フラグＦｉＲＦを伴う複製フィールド（Ｂ１’）ＤＦｉに対応するので、第２の予測フレーム（Ｂ１’＋Ｂ２’）の複製ＤＰＦにされている。
【００７２】
この場合、復号化用部分モジュールＳＤＭは、予測レイヤＰＬ’の各予測フレーム又は複製予測フレームＤＰＦと、符号化プログレッシブ・エンハンスメントレイヤＥＬ’の対応する符号化プログレッシブフレームとの和を計算することによって、各エンハンスメントレイヤＥＬ”の各プログレッシブフレームを再構築する。
【００７３】
図８に示した例においては、再構築プログレッシブ・エンハンスメントレイヤＥＬ”は、プログレッシブフレームのシーケンス（Ａ’＝（Ａ１’＋Ａ２’）＋δＡ’）、（Ｂａ’＝（Ｂ１’＋Ｂ２’）＋δＢａ’）、（Ｂｂ’＝（Ｂ１’＋Ｂ２’）＋δＢｂ’）、（Ｃ’＝（Ｃ１’＋Ｃ２’）＋δＣ’）、（Ｄ’＝（Ｄ１’＋Ｄ２’）＋δＤ’）を有する。
【００７４】
重要なことには、予測レイヤＰＬ’が一旦構築された後は、（図８に関して）第２の手法に従って復号化用部分モジュールＳＤＭによって実行される復号化技術は、従来技術に係る復号化装置によって実行される技術と同一である。この復号化技術は当業者に周知であり、ここでは説明しない。
【００７５】
復号化用部分モジュールＳＤＭは、復号化されたインターレース・ベースレイヤＢＬと復号化されたプログレッシブ・エンハンスメントレイヤ（群）ＥＬ”とを有する復号化スケーラブル・ビットストリームを出力し、表示すべき標準精細度又は高精細度の画像を構成するように結合し得る準備が完了する。
【００７６】
次に図９を参照して、本発明に従って復号化の際にフィールド反復フラグＦｉＲＦを使用する第３の手法を説明する。第１の手法の一種の変形であるこの第３の手法においては、処理モジュールＰＭ’は、少なくとも１つの符号化プログレッシブ・エンハンスメントレイヤＥＬ’を伴う少なくとも１つの符号化インターレース・ベースレイヤＢＬ’を受信する度に、フィールド反復フラグＦｉＲＦを伴わない符号化インターレース・ベースレイヤＢＬ’のトップフィールドＴＦｉ’及びボトムフィールドＢＦｉ’から定められた予測フレームのみを有する予測レイヤＰＬ’を構築するように構成される。従って、（図９に示すように、）処理モジュールＰＭ’は（先に定義した）複合的な予測フレームを保有せず、一部の予測フレームは予測レイヤＰＬ’内で欠如する（ＭＰＦ）。
【００７７】
この場合には、第１の手法と異なり、受信した符号化プログレッシブ・エンハンスメントレイヤＥＬ’の各々は、符号化装置Ｄ１によって第３の手法に従って画成されているので、欠如した符号化プログレッシブフレーム群ＭＥＦを有さない。
【００７８】
従って、復号化用部分モジュールＳＤＭは、予測レイヤＰＬ’の存在する予測フレームの各々と対応する符号化プログレッシブフレームとの和を計算することによって、各エンハンスメントレイヤＥＬ”の各プログレッシブフレームを再構築し、欠如した予測フレームに対応する（そして、フィールド反復フラグＦｉＲＦを伴うインターレース・ベースレイヤＢＬ’の第１のフィールドＴＦｉ及び／又は第２のフィールドＢＦｉに対応する）欠如した再構築プログレッシブフレームの各々を、対応する符号化プログレッシブフレームと、再構築すべき該プログレッシブフレームに先行する再構築プログレッシブフレームの複製との和で充足するように構成される。
【００７９】
図９に示した例においては、第３の予測フレームＭＰＦが欠如している。従って、復号化用部分モジュールＳＤＭは、先ず、存在する予測フレーム群に対応するプログレッシブフレームを再構築し、それにより、（Ａ’＝（Ａ１’＋Ａ２’）＋δＡ’）、（Ｂａ’＝（Ｂ１’＋Ｂ２’）＋δＢａ’）、（Ｃ’＝（Ｃ１’＋Ｃ２’）＋δＣ’）、（Ｄ’＝（Ｄ１’＋Ｄ２’）＋δＤ’）を与える。そして、復号化用部分モジュールＳＤＭは、第２の再構築プログレッシブフレームＢａ’を複製し、それを第３の符号化プログレッシブフレームδＢｂ’に加算して、第３の再構築プログレッシブフレームＢｂ’（Ｂｂ’＝Ｂａ’＋δＢｂ’）を生成する。故に、最終的な再構築プログレッシブ・エンハンスメントレイヤＥＬ”は、プログレッシブフレームのシーケンス（Ａ’、Ｂａ’、Ｂｂ’、Ｃ’、Ｄ’）を有する。
【００８０】
重要なことには、（図９に関して）第３の手法に従って復号化用部分モジュールＳＤＭによって実行される復号化技術は、欠如したプログレッシブフレーム群の充足のための部分を除いて、従来技術に係る復号化装置によって実行される技術と同一である。この復号化技術は当業者に周知であり、ここでは説明しない。
【００８１】
復号化用部分モジュールＳＤＭは、復号化されたインターレース・ベースレイヤＢＬと復号化されたプログレッシブ・エンハンスメントレイヤ（群）ＥＬ”とを有する復号化スケーラブル・ビットストリームを出力し、表示すべき標準精細度又は高精細度の画像を構成するように結合し得る準備が完了する。
【００８２】
好ましくは、符号化装置Ｄ１及び復号化装置Ｄ２は集積回路ＩＣである。これらの集積回路は、ＣＭＯＳ技術、又はチップ工場で現在使用中の技術にて実装され得る。しかしながら、符号化装置Ｄ１及び復号化装置Ｄ２の各々は、何らかのプログラム可能なプラットフォーム又は電子機器にて、ソフトウェア、又はハードウェアとソフトウェアとの組み合わせとして実装されてもよい。
【００８３】
本発明は、とりわけ上述の符号化装置Ｄ１の実施形態の例によって実行され得る符号化方法とも見なし得る。従って、この符号化方法の主な特徴のみを以下にて述べる。
【００８４】
本発明に従った符号化方法は、ｉ）インターレース・ベースレイヤＢＬのフィールド群（第１のフィールド群ＴＦｉ及び第２のフィールド群ＢＦｉ）から定められた予測フレーム群を有する予測レイヤＰＬを構築する段階、及びｉｉ）インターレース・ベースレイヤＢＬの対応する複製フィールド群に付随するフィールド反復フラグ群ＦｉＲＦを考慮に入れながら、各予測フレームと対応するプログレッシブフレームとの間の差を計算することによって、各プログレッシブ・エンハンスメントレイヤＥＬのプログレッシブフレーム群を符号化する段階から構成される。
【００８５】
本発明はまた、とりわけ上述の復号化装置Ｄ２の実施形態の例によって実行され得る復号化方法とも見なし得る。従って、この復号化方法の主な特徴のみを以下にて述べる。
【００８６】
この復号化方法は、ｉ）符号化されたインターレース・ベースレイヤＢＬ’のフィールド対（ＴＦｉ’及びＢＦｉ’）から定められた予測フレーム群を有する予測レイヤＰＬ’を構築する段階、及びｉｉ）符号化されたインターレース・ベースレイヤＢＬ’の対応する複製フィールド群に付随するフィールド反復フラグ群ＦｉＲＦを考慮に入れながら、各予測フレームと符号化された各プログレッシブ・エンハンスメントレイヤの対応する符号化プログレッシブフレームとの和を計算することによって、各エンハンスメントレイヤＥＬ”のプログレッシブフレーム群を再構築する段階から構成される。
【００８７】
本発明は、単なる例としての上述の符号化装置、復号化装置、電子機器、符号化方法及び復号化方法の実施形態に限定されず、添付の請求項の範囲内にあると当業者によって見なされ得る全ての代替実施形態をも包含する。
【００８８】
実際、ハードウェア若しくはソフトウェア、又はこれら双方によって機能群を実現する手法は数多く存在する。この点で、図面はまさに図形的なものであり、単に本発明の取り得る実施形態を表しているだけである。故に、図面は異なる機能を異なるブロックとして示しているが、これは決して、単一のハードウェア品目又はソフトウェア品目が複数の機能を果たすことを排除するものではない。また、ハードウェア品目、ソフトウェア品目又はこれら双方の組立体が１つの機能を果たすことも排除されない。
【００８９】
図面を参照しながら詳細な説明を明示する以上にて為された言及は、本発明を例示するものであり、限定するものではない。添付の請求項の範囲に入る数多くの代替例が存在する。請求項中の如何なる参照符号も、請求項を限定するものとして解釈されるべきではない。用語“有する”は、請求項中に列挙された以外の要素又は段階の存在を排除するものではない。また、要素又は段階の前の用語“或る”は、それらの要素又は段階が複数存在することを排除するものではない。
【図面の簡単な説明】
【００９０】
【図１】現行技術に従った、インターレース・ベースレイヤ（ＢＬ）、符号化すべきプログレッシブ・エンハンスメントレイヤ（ＥＬ）、及び予測レイヤ（ＰＬ）の一例を概略的に示す図である。
【図２】本発明に従った符号化装置の実施形態の一例を概略的且つ機能的に示す図である。
【図３】インターレース・ベースレイヤ（ＢＬ）及び符号化すべきプログレッシブ・エンハンスメントレイヤ（ＥＬ）の一例と、対応する予測レイヤ（ＰＬ）及び符号化されたプログレッシブ・エンハンスメントレイヤ（ＥＬ’）の第１の例とを概略的に示す図である。
【図４】インターレース・ベースレイヤ（ＢＬ）及び符号化すべきプログレッシブ・エンハンスメントレイヤ（ＥＬ）の一例と、対応する予測レイヤ（ＰＬ）及び符号化されたプログレッシブ・エンハンスメントレイヤ（ＥＬ’）の第２の例とを概略的に示す図である。
【図５】インターレース・ベースレイヤ（ＢＬ）及び符号化すべきプログレッシブ・エンハンスメントレイヤ（ＥＬ）の一例と、対応する予測レイヤ（ＰＬ）及び符号化されたプログレッシブ・エンハンスメントレイヤ（ＥＬ’）の第３の例とを概略的に示す図である。
【図６】本発明に従った復号化装置の実施形態の一例を概略的且つ機能的に示す図である。
【図７】符号化されたインターレース・ベースレイヤ（ＢＬ’）及び復号化すべき符号化されたプログレッシブ・エンハンスメントレイヤ（ＥＬ’）の一例と、対応する予測レイヤ（ＰＬ’）及び復号化されたプログレッシブ・エンハンスメントレイヤ（ＥＬ”）の第１の例とを概略的に示す図である。
【図８】符号化されたインターレース・ベースレイヤ（ＢＬ’）及び復号化すべき符号化されたプログレッシブ・エンハンスメントレイヤ（ＥＬ’）の一例と、対応する予測レイヤ（ＰＬ’）及び復号化されたプログレッシブ・エンハンスメントレイヤ（ＥＬ”）の第２の例とを概略的に示す図である。
【図９】符号化されたインターレース・ベースレイヤ（ＢＬ’）及び復号化すべき符号化されたプログレッシブ・エンハンスメントレイヤ（ＥＬ’）の一例と、対応する予測レイヤ（ＰＬ’）及び復号化されたプログレッシブ・エンハンスメントレイヤ（ＥＬ”）の第３の例とを概略的に示す図である。
【図１】
2009530946.tif 000003
【図２】
2009530946.tif 000004
【図３】
2009530946.tif 000005
【図４】
2009530946.tif 000006
【図５】
2009530946.tif 000007
【図６】
2009530946.tif 000008
【図７】
2009530946.tif 000009
【図８】
2009530946.tif 000010
【図９】
2009530946.tif 000011
【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
映画データを、フィールド反復フラグを伴う複製フィールドを含むインターレースフィールド群を有する、少なくとも１つのインターレース・ベースレイヤと、プログレッシブフレーム群を有する少なくとも１つのプログレッシブ・エンハンスメントレイヤとから、圧縮されたスケーラブル・ビットストリームへと符号化する符号化手段を有する符号化装置であって、
前記符号化手段は、ｉ）前記インターレース・ベースレイヤの連続するフィールドの対群から定められた予測フレーム群を有する予測レイヤを構築し、且つｉｉ）欠如した各予測フレームに対処するように前記インターレース・ベースレイヤの対応する複製フィールド群に付随するフィールド反復フラグ群を考慮に入れながら、各予測フレームと対応するプログレッシブフレームとの間の差を計算することによって、各プログレッシブ・エンハンスメントレイヤのプログレッシブフレーム群を符号化するように構成されており、且つ予測フレームを定めるフィールドの対の各フィールドは、対応するプログレッシブフレームと同一のインターレースフレームに属する、
ことを特徴とする符号化装置。
【請求項２】
前記符号化手段は、ｉ）前記インターレース・ベースレイヤのフィールド対群から定められた予測フレーム群のみを有する予測レイヤを構築し、且つｉｉ）予測フレームに対応する各プログレッシブフレームのみを、該プログレッシブフレームと対応する予測フレームとの間の差を計算することによって符号化するように構成されており、且つフィールド対の各フィールドは、プログレッシブフレームと同一のインターレースフレームに属する、ことを特徴とする請求項１に記載の符号化装置。
【請求項３】
前記符号化手段は、ｉ）前記インターレース・ベースレイヤのフィールド対群から定められた予測フレーム群と、各複製予測フレームが、前記インターレース・ベースレイヤのフィールド反復フラグを伴うフィールドに対応するときに、先行する予測フレームと同一にされた複製予測フレーム群と、を有する予測レイヤを構築し、且つｉｉ）前記プログレッシブフレーム群を、各プログレッシブフレームと、対応する予測フレーム又は複製予測フレームとの間の差を計算することによって符号化するように構成されており、且つフィールド対の各フィールドは、プログレッシブフレームと同一のインターレースフレームに属する、ことを特徴とする請求項１に記載の符号化装置。
【請求項４】
前記符号化手段は、ｉ）前記インターレース・ベースレイヤのフィールド対群から定められた予測フレーム群を構築し、且つ、対応する欠如した各予測フレームを、該欠如した予測フレームに対応するプログレッシブフレームに先行するプログレッシブフレームの複製で充足するように、ｉｉ）予測フレームに対応する各プログレッシブフレームを、該プログレッシブフレームと、対応する予測フレーム又はプログレッシブフレームの複製との間の差を計算することによって符号化するように構成されており、且つフィールド対の各フィールドは、プログレッシブフレームと同一のインターレースフレームに属する、ことを特徴とする請求項１に記載の符号化装置。
【請求項５】
前記予測レイヤを構築することに先立って、符号化すべき前記プログレッシブフレーム群の空間解像度に等しい空間解像度を得るために、前記インターレース・ベースレイヤのフィールド群をオーバーサンプリングするように構成されたオーバーサンプリング手段を有することを特徴とする請求項１乃至４の何れかに記載の符号化装置。
【請求項６】
第１のフレームレートを有する当初の映画データに時間的調整技術を適用して、選択された表示装置上での表示に適応された第２のフレームレートを有する前記インターレース・ベースレイヤ及び前記プログレッシブ・エンハンスメントレイヤを出力するように構成された調整手段を有することを特徴とする請求項１乃至５の何れかに記載の符号化装置。
【請求項７】
前記調整手段は、所謂３：２プルダウン方式の時間的調整技術を適用するように構成されている、ことを特徴とする請求項６に記載の符号化装置。
【請求項８】
フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する復号化手段を有する復号化装置であって、
前記復号化手段は、ｉ）前記符号化インターレース・ベースレイヤのフィールド対群から定められた予測フレーム群を有する予測レイヤを構築し、且つｉｉ）前記符号化インターレース・ベースレイヤの対応する複製フィールド群に付随するフィールド反復フラグ群を考慮に入れながら、各予測フレームと各符号化プログレッシブ・エンハンスメントレイヤの対応する符号化されたプログレッシブフレームとの和を計算することによって、プログレッシブ・エンハンスメントレイヤのプログレッシブフレーム群を再構築するように構成されている、
ことを特徴とする復号化装置。
【請求項９】
前記復号化手段は、ｉ）前記符号化インターレース・ベースレイヤのフィールド反復フラグを伴わないフィールド対群から定められた予測フレーム群のみを有する予測レイヤを構築し、且つｉｉ）各プログレッシブ・エンハンスメントレイヤの各プログレッシブフレームを、各予測フレームと対応する符号化されたプログレッシブフレームとの和を計算することによって再構築し、前記符号化インターレース・ベースレイヤのフィールド反復フラグを伴うフィールドに対応する欠如した各プログレッシブフレームを、再構築された先行するプログレッシブフレームの複製で充足するように構成されている、ことを特徴とする請求項８に記載の復号化装置。
【請求項１０】
前記復号化手段は、ｉ）前記符号化インターレース・ベースレイヤのフィールド反復フラグを伴わないフィールド対群から定められた予測フレーム群と、各複製予測フレームが、前記符号化インターレース・ベースレイヤのフィールド反復フラグを伴うフィールドに対応するときに、先行する予測フレームと同一にされた複製予測フレーム群と、を有する予測レイヤを構築し、且つｉｉ）各プログレッシブ・エンハンスメントレイヤの各プログレッシブフレームを、各予測フレーム又は各複製予測フレームと対応する符号化されたプログレッシブフレームとの和を計算することによって再構築するように構成されている、ことを特徴とする請求項８に記載の復号化装置。
【請求項１１】
前記復号化手段は、ｉ）前記符号化インターレース・ベースレイヤのフィールド反復フラグを伴わないフィールド対群から定められた予測フレーム群のみを有する予測レイヤを構築し、且つｉｉ）各プログレッシブ・エンハンスメントレイヤの予測フレームに対応する各プログレッシブフレームを、該予測フレームと対応する符号化されたプログレッシブフレームとの和を計算することによって再構築し、各プログレッシブ・エンハンスメントレイヤの欠如した予測フレームに対応する各プログレッシブフレームを、対応する符号化されたプログレッシブフレームと、この再構築すべきプログレッシブフレームに先行する再構築されたプログレッシブフレームの複製との和を計算することによって再構築するように構成されている、ことを特徴とする請求項８に記載の復号化装置。
【請求項１２】
請求項１乃至７の何れか一項に記載の符号化装置及び／又は請求項８乃至１１の何れか一項に記載の復号化装置を有することを特徴とする電子機器。
【請求項１３】
ホームサーバ、家庭内ネットワーキング用のセットトップボックス、放送用符号化器、ストリーミング用符号化器、及びディスプレーセットを含むグループから選択されたことを特徴とする請求項１２に記載の電子機器。
【請求項１４】
映画データを、フィールド反復フラグを伴う複製フィールドを含むインターレースフィールド群を有する、少なくとも１つのインターレース・ベースレイヤと、プログレッシブフレーム群を有する少なくとも１つのプログレッシブ・エンハンスメントレイヤとから、圧縮されたスケーラブル・ビットストリームへと符号化する方法であって、
ｉ）前記インターレース・ベースレイヤのフィールド対群から定められた予測フレーム群を有する予測レイヤを構築する段階、及びｉｉ）前記インターレース・ベースレイヤの対応する複製フィールド群に付随するフィールド反復フラグ群を考慮に入れながら、各予測フレームと対応するプログレッシブフレームとの間の差を計算することによって、各プログレッシブ・エンハンスメントレイヤのプログレッシブフレーム群を符号化する段階、
を有することを特徴とする方法。
【請求項１５】
フィールド反復フラグを伴う複製フィールドを含む符号化されたインターレースフィールド群を有する、少なくとも１つの符号化インターレース・ベースレイヤと、符号化されたプログレッシブフレーム群を有する少なくとも１つの符号化プログレッシブ・エンハンスメントレイヤとからの、圧縮されたスケーラブル・ビットストリームを復号化する方法であって、
ｉ）前記符号化インターレース・ベースレイヤのフィールド対群から定められた予測フレーム群を有する予測レイヤを構築する段階、及びｉｉ）前記符号化インターレース・ベースレイヤの対応する複製フィールド群に付随するフィールド反復フラグ群を考慮に入れながら、各予測フレームと各符号化プログレッシブ・エンハンスメントレイヤの対応する符号化されたプログレッシブフレームとの和を計算することによって、プログレッシブ・エンハンスメントレイヤのプログレッシブフレーム群を再構築する段階、
を有することを特徴とする方法。
【手続補正２】
【補正対象書類名】明細書
【補正対象項目名】００１２
【補正方法】変更
【補正の内容】
【００１２】
上記課題に鑑み、本発明は、請求項１に規定される符号化装置に関する。
【手続補正３】
【補正対象書類名】明細書
【補正対象項目名】００１４
【補正方法】変更
【補正の内容】
【００１４】
本発明に従った符号化装置は、とりわけ以下のような、別個に考慮される、あるいは組み合わせて考慮される更なる特徴を含み得る：
（ａ）符号化手段は、ｉ）インターレース・ベースレイヤのフィールド対群から定められた予測フレーム群のみを有する予測レイヤを構築し、且つｉｉ）予測フレームに対応する各プログレッシブフレームのみを、該プログレッシブフレームと対応する予測フレームとの間の差を計算することによって符号化するように構成されていてもよい；
（ｂ）符号化手段は、ｉ）インターレース・ベースレイヤのフィールド対群から定められた予測フレーム群と、各複製予測フレームが、インターレース・ベースレイヤのフィールド反復フラグを伴うフィールドに対応するときに、先行する予測フレームと同一にされた複製予測フレーム群と、を有する予測レイヤを構築し、且つｉｉ）プログレッシブフレーム群を、各プログレッシブフレームと、対応する予測フレーム又は複製予測フレームとの間の差を計算することによって符号化するように構成されていてもよい；
（ｃ）符号化手段は、ｉ）インターレース・ベースレイヤのフィールド対群から定められた予測フレーム群を構築し、且つ、インターレース・ベースレイヤの欠如した各予測フレームを、該欠如した予測フレームに対応するプログレッシブフレームに先行するプログレッシブフレームの複製で充足するように、ｉｉ）予測フレームに対応する各プログレッシブフレームを、該プログレッシブフレームと、対応する予測フレーム又はプログレッシブフレームの複製との間の差を計算することによって符号化するように構成されていてもよい；
（ｄ）当該符号化装置は、符号化すべきプログレッシブフレーム群の空間解像度に等しい空間解像度を得るために、予測フレームに空間的なオーバーサンプリングを適用するように構成された空間的オーバーサンプリング手段を有していてもよい；
（ｅ）当該符号化装置は、第１のフレームレートを有する当初の映画データに時間的調整技術を適用して、選択された表示装置上での表示に適応された第２のフレームレートを有するインターレース・ベースレイヤ及びプログレッシブ・エンハンスメントレイヤを出力するように構成された調整手段を有していてもよい（例えば、調整手段は、所謂“３：２プルダウン”方式の時間的調整技術を適用するように構成され得る）。
【国際調査報告】
2009530946.tif 000012
2009530946.tif 000013